(57)【要約】【課題】ハードディスクドライブが正常であるか異常であるかを簡単に把握することができるハードディスクドライブ接続装置を提供する。【解決手段】ハードディスクドライブと外部の装置とを接続するハードディスクドライブ接続装置であって、ハードディスクドライブが接続される接続端子部と、前記ハードディスクドライブ接続装置の外面に、前記接続端子に接続されるハードディスクドライブの動作状態についての診断処理の結果に基づいて表示を行う複数のＬＥＤ表示部と、を備えることを特徴とするハードディスクドライブ接続装置。【選択図】図１
0003178769.tif 000002
【実用新案登録請求の範囲】
【請求項１】
ハードディスクドライブと外部の装置とを接続するハードディスクドライブ接続装置であって、ハードディスクドライブが接続される接続端子部と、前記ハードディスクドライブ接続装置の外面に、前記接続端子に接続されるハードディスクドライブの動作状態についての診断処理の結果に基づいて表示を行う複数のＬＥＤ表示部と、を備えることを特徴とするハードディスクドライブ接続装置。
【請求項２】
前記ＬＥＤ表示部は、前記ハードディスクドライブが正常な状態であることを示す正常表示部と、前記ハードディスクドライブが注意が必要な注意状態であることを示す注意表示部と、前記ハードディスクドライブが故障している故障状態であることを示す故障表示部と、を有することを特徴とする請求項１に記載のハードディスクドライブ接続装置。
【請求項３】
前記正常表示部と、前記注意表示部と、前記故障表示部のそれぞれのＬＥＤは、互いに異なる色で発光することを特徴とする請求項２に記載のハードディスクドライブ接続装置。
【請求項４】
前記ハードディスクドライブ接続装置の外面に、前記診断処理を行っていることをＬＥＤの発光により知らせる診断処理表示部をさらに備えることを特徴とする請求項１から３のいずれか１つに記載のハードディスクドライブ接続装置。
【請求項５】
前記接続端子部は、大きさが異なる複数種類のハードディスクドライブを接続可能な端子であることを特徴とする請求項１から４のいずれか１つに記載のハードディスクドライブ接続装置。
【請求項６】
前記接続端子部は、第１の種類のハードディスクドライブに接続可能な第１の端子と、前記第１の種類とは異なる第２の種類のハードディスクドライブに接続可能な第２の端子と、前記第１の種類および前記第２の種類とは異なる第３の種類のハードディスクドライブに接続可能な第３の端子と、を備えることを特徴とする請求項１から４のいずれか１つに記載のハードディスクドライブ接続装置。
【考案の詳細な説明】
【技術分野】
【０００１】
本考案は、ハードディスクドライブと外部の装置とを接続する接続装置に関し、特に、ハードディスクドライブの動作状態に関する診断結果を表示する表示部を備えるハードディスクドライブ接続装置に関するものである。
【背景技術】
【０００２】
従来、パーソナルコンピュータ（ＰＣ）等の外部記憶装置として、外付けハードディスクドライブ（ＨＤＤ）が用いられている。近年では、デジタルテレビや地上デジタルチューナーなどの映像装置の外部記憶装置としても使用されるようになり、その用途は拡大している。
【０００３】
外付けＨＤＤの形態としては、ＨＤＤ本体がケース内部に収容されるものの他、ＨＤＤ本体をケースなどに収容せずに直接接続し、ＵＳＢケーブル等の接続ケーブルでＰＣなどに接続するアダプタタイプのものも用いられている。アダプタタイプのものの場合、をＨＤＤを簡単にＰＣ等に接続することができる。
【考案の概要】
【考案が解決しようとする課題】
【０００４】
ＨＤＤは、長期間の使用などによりＨＤＤに不具合が生じ始めていても、その不調を把握することは困難である。特にテレビなどコンピュータ以外の装置に直接接続して用いられる場合には、コンピュータに接続する場合のようにソフトを実行してＨＤＤを診断することができないので、不調を把握することがさらに困難である。
【０００５】
本考案はこのようなハードディスクドライブの課題を解決するものであり、ハードディスクドライブが正常であるか異常であるかを簡単に把握することができるハードディスクドライブ接続装置を提供することを目的とする。
【課題を解決するための手段】
【０００６】
本考案は上記課題を解決するためになされたものであり、その考案の要旨とするところは以下のとおりである。
【０００７】
（１）ハードディスクドライブと外部の装置とを接続するハードディスクドライブ接続装置であって、ハードディスクドライブが接続される接続端子部と、前記ハードディスクドライブ接続装置の外面に、前記接続端子に接続されるハードディスクドライブの動作状態についての診断処理の結果に基づいて表示を行う複数のＬＥＤ表示部と、を備えることを特徴とするハードディスクドライブ接続装置。
【０００８】
（２）上記（１）の構成において、前記ＬＥＤ表示部は、前記ハードディスクドライブが正常な状態であることを示す正常表示部と、前記ハードディスクドライブが注意が必要な注意状態であることを示す注意表示部と、前記ハードディスクドライブが故障している故障状態であることを示す故障表示部と、を有することを特徴とする。
【０００９】
（３）上記（２）の構成において、前記正常表示部と、前記注意表示部と、前記故障表示部のそれぞれのＬＥＤは、互いに異なる色で発光することを特徴とする。
【００１０】
（４）上記１から３のいずれかの構成において、前記ハードディスクドライブ接続装置の外面に、前記診断処理を行っていることをＬＥＤの発光により知らせる診断処理表示部をさらに備えることを特徴とする。
【００１１】
（５）上記１から４のいずれかの構成において、前記接続端子部は、大きさが異なる複数種類のハードディスクドライブを接続可能な端子であることを特徴とする。
【００１２】
（６）上記１から４のいずれかの構成において、前記接続端子部は、第１の種類のハードディスクドライブに接続可能な第１の端子と、前記第１の種類とは異なる第２の種類のハードディスクドライブに接続可能な第２の端子と、前記第１の種類および前記第２の種類とは異なる第３の種類のハードディスクドライブに接続可能な第３の端子と、を備えることを特徴とする。
【考案の効果】
【００１３】
本考案によれば、ハードディスクドライブが正常であるか異常であるかを簡単に把握することができるハードディスクドライブ接続装置を提供することができる。
【図面の簡単な説明】
【００１４】
【図１】ハードディスクドライブ接続装置の外観図である。
【図２】ハードディスクドライブ接続装置の機能を示す機能ブロック図である。
【図３】他の実施形態にかかるハードディスクドライブ接続装置の外観図である。
【考案を実施するための形態】
【００１５】
以下、本考案の実施形態について、図面を参照しつつ説明する。
【００１６】
図１は、本実施形態のハードディスクドライブ（ＨＤＤ）の接続装置１（以下、「ＨＤＤ接続装置１」とよぶ）を示す図である。本実施形態のＨＤＤ接続装置１は、たとえばＨＤＤのＳＡＴＡ規格の端子やＩＤＥ規格の端子に接続し、ＨＤＤ接続装置１とデータ通信可能に接続されたパーソナルコンピュータ（ＰＣ）やテレビなどのＨＤＤを利用する外部装置と、ＨＤＤとをデータ通信可能に接続する接続装置である。
【００１７】
本実施形態のＨＤＤ接続装置１は上面に発光により様々な通知を行うＬＥＤ表示部が形成され、側面にＨＤＤと接続する端子や、ＵＳＢケーブルや電源ケーブルを接続する端子などが配置される略直方体状の接続装置である。ＨＤＤ接続装置１は、ＬＥＤ表示部であるＨＤＤ状態表示部２と、診断処理表示部４と、アクセス／電源表示部６と、電源スイッチ８と、ＵＳＢ端子１０と、電源入力端子１１と、プロセッサ１２と、メモリ１４と、接続端子１６と、を備える。以下、ＨＤＤ接続装置１の各構成を説明する。
【００１８】
ＨＤＤ状態表示部２は、後述するＨＤＤ接続装置１のＨＤＤ診断機能によりＨＤＤ接続装置１に接続されたＨＤＤが正常であるのか、それとも何らかの異常があるのかの診断処理が行われると、ＨＤＤ状態表示部２に形成される複数の表示部のうち、対応するいずれかの表示部のＬＥＤの点灯によりその診断結果を表示する。本実施形態では診断の結果を３段階で表示するために、ＨＤＤ状態表示部２は正常表示部２ａと注意表示部２ｂと故障表示部２ｃとを備える。正常表示部２ａと注意表示部２ｂと故障表示部２ｃは、ＨＤＤ接続装置１の上面に並んで配置される。
【００１９】
正常表示部２ａは、診断の結果、ＨＤＤ本体は正常（ＧＯＯＤ）であったことを示す表示部である。本実施形態では、正常表示部２ａは緑色ＬＥＤを備え、緑色ＬＥＤによる緑色の発光によりＨＤＤが正常状態であることを示す。
【００２０】
注意表示部２ｂは、診断の結果、ＨＤＤ本体に何らかの問題があり、注意が必要な注意状態（ＣＡＵＴＩＯＮ）であることを示す表示部である。本実施形態では、注意表示部２ｂは黄色ＬＥＤを備え、黄色ＬＥＤによる黄色の発光によりＨＤＤが注意状態であることを示す。
【００２１】
故障表示部２ｃは、診断の結果、ＨＤＤ本体が完全に故障しており使用できない故障状態（ＢＡＤ）であることを示す表示部である。本実施形態では、故障表示部２ｃは赤色ＬＥＤを備え、赤色ＬＥＤによる赤色の発光によりＨＤＤが故障状態であることを示す。
【００２２】
なお本実施形態では、ＨＤＤ状態表示部２の正常表示部２ａと、注意表示部２ｂと、故障表示部２ｃはそれぞれ異なる色の光で点灯するとしたが、これに限られない。たとえば、各ＬＥＤの表示部の横に文字で正常、注意、故障などと記載しておくなど、各ＬＥＤの点灯の意味が分かるような表示方法であれば、各表示部のＬＥＤの色が重複してもよい。
【００２３】
診断処理表示部４は、後述するＨＤＤ接続装置１の機能である、ＨＤＤ接続装置１に接続されたＨＤＤの診断処理が行われていることをＬＥＤの点灯あるいは点滅により知らせる。
【００２４】
アクセス／電源表示部６は、ＨＤＤ接続装置１に電力が供給されていることおよび、ＨＤＤ接続装置１に接続されているＨＤＤと外部の装置との間でデータのやりとりが行われていることを、ＬＥＤの点灯や点滅により知らせる。本実施形態では、アクセス／電源表示部６のＬＥＤが点灯している状態においては、接続されているＨＤＤに電源が供給されており、さらにその状態においてＬＥＤが点滅している場合には、当該ＨＤＤと外部の装置との間でデータ通信が行われていることを示す。本実施形態ではアクセス／電源表示部６は、赤色ＬＥＤを備え、赤色の発光により電源の供給、データ通信を知らせるが、ＬＥＤの色は特に限定されない。
【００２５】
電源スイッチ８は、ＨＤＤ接続装置１の電源のオン／オフを切り替えるスイッチである。電源スイッチ８で電源がオンとされると、ＨＤＤ接続装置１に接続されたＨＤＤに電力が供給されるとともに、後述するＨＤＤの診断処理などが行われる。
【００２６】
ＵＳＢ端子１０はＵＳＢケーブルを接続する端子である。ＵＳＢ端子１０に接続されるＵＳＢケーブルにより、ＨＤＤを接続可能なＰＣやテレビなどの装置と、ＨＤＤ接続装置１とがデータ通信可能に接続される。ＵＳＢ端子１０は、本実施形態では図１において右側の側面部に形成されるが、他の側面部に形成されてもよい。
【００２７】
電源入力端子１１は、ＨＤＤ接続装置１に差し込まれて接続されるＨＤＤに電力を供給するための端子である。電源入力端子１１にはＡＣ／ＤＣアダプタが接続される。電源入力端子１１は、本実施形態ではＵＳＢ端子１０と同じ側面部に形成されるが、他の側面部に形成されてもよい。
【００２８】
プロセッサ１２とメモリ１４は、ＨＤＤ接続装置１の制御部である。プロセッサ１２はメモリ１４に格納されるプログラムを実行して様々な処理を行う。本実施形態ではプロセッサ１２は、ＨＤＤ診断処理プログラムを実行してＨＤＤ本体の診断処理を行い、各種表示部のＬＥＤの点灯、点滅を制御する。プロセッサ１２は、ＣＰＵ（Central Processing Unit）やＭＰＵ（Micro Processing Unit）などである。メモリ１４はプロセッサ１２によって実行されるプログラムなどを格納する記憶装置である。なお、この制御部によって実現される機能の一部又は全部を、ＡＳＩＣ（Application Specific Integrated Circuit）などの専用の回路によって実現してもよい。
【００２９】
接続端子１６は、ＨＤＤ接続装置１に接続するＨＤＤの端子を接続する端子である。接続端子１６は、たとえばＳＡＴＡ規格やＩＤＥ規格の接続端子である。また、本実施形態の接続端子１６は、２．５インチのＨＤＤと３．５インチのＨＤＤのいずれの種類のＨＤＤでも接続可能な接続端子である。なお接続端子１６は１種類のＨＤＤとのみ接続可能な端子であってもよい。
【００３０】
次に本実施形態のＨＤＤ接続装置１の機能を説明する。図２は、ＨＤＤ接続装置１の機能ブロックを示す機能ブロック図である。これらの機能は、上述の通りプロセッサ１２がメモリ１４に格納されるプログラムを実行することにより（又はＡＳＩＣにより）実現される。
【００３１】
ＨＤＤ接続装置１は、診断部１００と、表示制御部１０２と、データ通信制御部１０４と、電源制御部１０６と、を備える。
【００３２】
診断部１００は、ＨＤＤ接続装置１に接続されたＨＤＤ本体が正常に動作しているか否かを診断する。診断部１００は、ＨＤＤが備える自己診断機能であるSelf-Monitoring, Analysis and Reporting Technology（Ｓ．Ｍ．Ａ．Ｒ．Ｔ．）を利用する。診断部１００は、Ｓ．Ｍ．Ａ．Ｒ．Ｔ．機能によって生成されたＨＤＤの診断データを取得する。診断部１００は取得した診断データに基づき、正常の程度を１００分率で評価する（以下、正常の程度を示す１００分率の値を「健康値」とも呼ぶ）。本実施形態では、診断部１００は健康値１００％の場合を正常状態とし、健康値９９〜３０％の場合を注意状態とし、３０％未満の場合を故障状態と評価する。診断部１００は定期的にあるいは所定のタイミングでＨＤＤの診断を行ってもよいし、ＨＤＤ接続装置１に診断実行を指示する操作ボタンなどを設けて、操作ボタンから診断実行指示があった場合に行ってもよい。
【００３３】
本実施形態の診断部１００はＳ．Ｍ．Ａ．Ｒ．Ｔ．により検査される項目のうち、ＩＤ  ０５：Reallocated Sectors Count（代替処理済みの不良セクタ数）と、ＩＤ  ０７：Seek Error Rate（シークエラーレート）と、ＩＤ  ０Ａ：Spin Retry Count（スピンアップ再試行回数）と、ＩＤ  Ｃ４：Reallocation Event Count（セクタ代替処理発生回数）と、ＩＤ  Ｃ５：Current Pending Sector Count（代替処理保留中のセクタ数）と、ＩＤ  Ｃ６：Off-Line Scan Uncorrectable Sector Count（回復不可能セクタ数）と、の６つの項目のデータを用いて診断を行う。診断部１００は、さらに他の項目のデータを用いて診断を行ってもよい。
【００３４】
表示制御部１０２は、診断部１００によって算出された健康値に基づき、ＨＤＤ状態表示部２のいずれかの表示部を点灯させる。具体的には、診断部１００がＨＤＤの健康値が１００％と診断した場合には正常表示部２ａのＬＥＤを点灯させる。また、診断部１００がＨＤＤの健康値が９９〜３０％と診断した場合には注意表示部２ｂのＬＥＤを点灯させる。また、診断部１００がＨＤＤの健康値が３０％未満と診断した場合には故障表示部２ｃのＬＥＤを点灯させる。また、表示制御部１０２は、診断部１００が診断処理を行っている場合には、診断処理表示部４のＬＥＤを点灯または点滅させる。
【００３５】
データ通信制御部１０４は、ＵＳＢ端子１０に接続されるＵＳＢケーブルを介して外部のＰＣやテレビなどの装置との間で行われるデータ通信を制御する。また、データ通信制御部１０４は、データ通信が行われている場合にアクセス／電源表示部６のＬＥＤを点滅させる。
【００３６】
電源制御部１０６は、ＨＤＤ接続装置１に接続されるＨＤＤへの電力供給を制御する。本実施形態のＨＤＤ接続装置１では、電源入力端子１１からＨＤＤ接続装置１に電力が供給されるので、電源制御部１０６は、電源入力端子１１からＨＤＤへの電力供給を制御する。また、電源制御部１０６は、電源入力端子１１から電力が供給されている場合に、アクセス／電源表示部６のＬＥＤを点灯させる。なお、電力はＵＳＢケーブルによるＵＳＢバスパワーによって供給されてもよく、その場合には電源制御部１０６はＵＳＢケーブルから供給される電力の制御を行う。
【００３７】
以上説明した本実施形態のＨＤＤ接続装置１によれば、ＨＤＤが使用されている状態において、接続されているＨＤＤが正常であるか異常であるかを特別な操作をすることなく一目で確認することができる。これにより、たとえば注意表示部２ｂのＬＥＤが点灯して注意状態であることを確認した場合に、完全に故障状態になる前にデータのバックアップを取るなどしてデータを保全したり、修理をしてデータ読み込みが不可能になってしまうことを防いだりすることができる。従って、より安全に外付けＨＤＤを使用することができる。
【００３８】
（第２の実施形態）
次に、第２の実施形態のＨＤＤ接続装置１’を説明する。図３は、第２の実施形態のＨＤＤ接続装置１’の外観図である。本実施形態のＨＤＤ接続装置１’は、ＨＤＤを接続する接続端子として、接続するＨＤＤの種類に応じて３種類の端子を有することを特徴とする。具体的には、接続端子として、ＩＤＥ規格の３．５インチＨＤＤを接続するための３．５インチ用接続端子１６１と、ＩＤＥ規格の２．５インチＨＤＤを接続するための２．５インチ用接続端子１６２と、ＳＡＴＡ規格のＨＤＤを接続するためのＳＡＴＡ接続端子１６３と、を備える。
【００３９】
本実施形態では３．５インチ用接続端子１６１は、図３において上側の側面部に配置される。また、２．５インチ用接続端子１６２は、図３において、３．５インチ用接続端子１６１の反対側の下側の側面部に配置される。また、ＳＡＴＡ接続端子１６３は、図３において右側の側面部に配置される。ＵＳＢ端子１０は図３において左側の側面部に形成される。なお、３．５インチ用接続端子１６１と２．５インチ用接続端子１６２と、ＳＡＴＡ接続端子１６３とが配置される位置やＵＳＢ端子１０が配置される位置は図３に示す位置関係に限られない。また、本実施形態のＨＤＤ接続装置１’においては、電源はＵＳＢ端子からＵＳＢバスパワーにより供給されるが、電源入力端子を別途設けてＡＣ／ＤＣアダプタ等によって電力が供給されてもよい。その他の構成や機能は、第１の実施形態のＨＤＤ接続装置１と同様であるので説明を省略する。
【００４０】
なお、本実施形態においてＨＤＤ接続装置１’は、規格が共通で大きさの異なるＨＤＤをそれぞれ接続する２種類の端子と、これらの端子とは規格が異なる端子とを有するものとして説明したが、これに限られない。複数種類の端子が全て異なる規格に対応した端子であってもよいし、全て同じ規格であるが大きさが異なるＨＤＤを接続するための端子の組み合わせであってもよい。また、ＨＤＤを接続する端子の数は、４つ以上であってもよい。
【００４１】
本考案を特定の態様により詳細に説明したが、本考案の精神および範囲を逸脱しないかぎり、様々な変更および改質がなされ得ることは、当業者には自明であろう。
【００４２】
以上に詳述したように、本考案によれば、ハードディスクドライブが正常であるか異常であるかを簡単に把握することができるハードディスクドライブ接続装置を提供することができる。
【符号の説明】
【００４３】
１      ＨＤＤ接続装置
２      ＨＤＤ状態表示部
２ａ    正常表示部
２ｂ    注意表示部
２ｃ    故障表示部
４      診断処理表示部
６      アクセス／電源表示部
１０    ＵＳＢ端子
１１    電源入力端子
１２    プロセッサ
１４    メモリ
１６    接続端子
１６１  ３．５インチ用接続端子
１６２  ２．５インチ用接続端子
１６３  ＳＡＴＡ接続端子
１００  診断部
１０２  表示制御部
１０４  データ通信制御部
１０６  電源制御部
【図１】
0003178769.tif 000003
【図２】
0003178769.tif 000004
【図３】
0003178769.tif 000005